(57)【要約】【課題】  効果的、且つ簡便に歯周病等の予防効果が得られる光照射歯ブラシの提供。【解決手段】  複数の異なる光源を内蔵し、そのうち少なくとも２つの光源が異なる特性をもち、且つ複数の光源の少なくとも１つからの光の照射方位が他と異なる、歯周病等の原因となる細菌を抑制等させ、口腔に発生する疾患などを予防、または抑制する歯ブラシ。【選択図】図１
2009183665.tif 000002
【特許請求の範囲】
【請求項１】
複数の光源を内蔵し、そのうち少なくとも２つの光源が異なる特性をもち、且つ複数の光源の少なくとも１つからの光の照射方位が他と異なる、歯周病等の原因となる細菌を抑制等させ、口腔に発生する疾患を予防、または抑制する光照射歯ブラシ。
【請求項２】
請求項１に記載の口腔に発生する疾患などを予防、または抑制する光照射歯ブラシに関し、一部の光源を歯ブラシに内蔵させず外部に設けた、口腔に発生する疾患を予防、または制御する光照射歯ブラシ。
【請求項３】
照射する光に含まれる波長成分を調整するため、フィルターを内蔵させた請求項１、及び請求項２に記載の光照射歯ブラシ。
【発明の詳細な説明】
【技術分野】
【０００１】  本発明は口腔に発生する疾患の原因となる細菌などを複数の異なる特性をもつ光源を用い効果的に抑制等し、口腔疾患を予防、または抑制する光照射歯ブラシに関するものである。
【背景技術】
【０００２】  例えば、歯科の二大疾患の１つである歯周病は一説によれば、成人の８割以上の人がかかっていると言われている。このような状況を考えると、より効果的で簡便な方法により口腔疾患を予防、または抑制することが必要である。【０００３】  一例として、歯周病の原因となる細菌は、黒色色素産生菌（ＢＰＢ）により集積するポルフィリンの光感受性を利用し抑制できると言われている。この抑制効果を得るため用いる光としては、波長３８０から５２０ｎｍの光に効果が期待できると、例えば非特許文献１に記載がある。この文献に記載されている試験では、光源として４３５ｎｍにピーク波長があり、第２ピーク波長が４０５、４２０、４５０、及び４５５ｎｍにあるライトが用いられている。また、ポルフィリンの吸収線スペクトルは波長４０５ｎｍ近傍にピークがあり、その他５０５、５４０、５７５、及び６３０ｎｍに弱いピークがあると非特許文献１に引用がある。
さらに、国内においても４００ｎｍから７００ｎｍの範囲のある特定の波長を照射すると、代表的歯周病原性細菌であるＰ．ｇｉｎｇｉｖａｌｉｓの増殖抑制効果が認められたとの報告がある。【０００４】  最近、様々な波長をもつＬＥＤや半導体レーザー等の小型光源が市販されており、前述の歯周病等の原因となる細菌を抑制するための光源として利用可能である。また、異なる特性のＬＥＤやフィルターを組合わせ、光の波長成分を調整できる。
【非特許文献１】Ｐｈｏｔｏｔａｒｇｅｔｉｎｇ  Ｏｒａｌ  Ｂｌａｃｋ−Ｐｉｇｍｅｎｔｅｄ  Ｂａｃｔｅｒｉａ  ＡＮＴＩＭＩＣＲＯＢＩＡＬ  ＡＧＥＮＴＳ  ＡＮＤ  ＣＨＥＭＯＴＨＥＲＡＰＹ，Ａｐｒ．２００５、ｐ．１３９１−１３９６
【発明の開示】
【発明が解決しようとする課題】
【０００５】  すでに歯周病予防等の光照射歯ブラシは発明されているが、より効果的な抑制効果を得る歯ブラシが求められている。
【課題を解決するための手段】
【０００６】  前記の課題を解決するため、複数の光源を内蔵させ、そのうち少なくとも２つを異なる特性をもつ光源とし、且つ複数の光源の少なくとも１つからの光の照射方位を他と変えることにより、細菌の抑制効果をあげ、複雑な形状の照射対象を効率的に照射、且つ／もしくは光の照射量をあげる、歯周病等の原因となる細菌を抑制等するための光照射歯ブラシを提供する。【０００７】  また、動作条件や大きさの制約等により、歯ブラシに内蔵することが難しい光源に関しては、光源を歯ブラシの外部に置き光ファイバー等により歯ブラシへ導き、内蔵光源と併用する。【０００８】  さらに、光源に照射したくない波長成分が含まれる場合、フィルターを歯ブラシに内蔵させ、その波長成分を調整する。
【発明の効果】
【０００９】  本発明の歯ブラシは、歯周病等を予防する効率的、且つ簡便な光照射歯ブラシである。
【実施例】
【００１０】（実施例１）
図１は光源を歯ブラシ内におさめた本発明の実施例である。歯ブラシ本体１にＬＥＤ２（２個）とＬＥＤ３（１個）、スイッチ・回路４、及び電源５を配置する。ＬＥＤ２には４０５ｎｍの波長を含み、且つＵＶ−ＣやＵＶ−Ｂの紫外線を含まない市販の紫外発光チップタイプＬＥＤを、ＬＥＤ３には６００ｎｍから６５０ｎｍの間にピーク波長がある市販の赤色チップダイプＬＥＤを用いる。
ここで、市販の紫外発光チップタイプＬＥＤは波長４０５ｎｍの光の相対発光強度が弱いため、１回のブラッシングでの当該照射量を上げるとともに、歯と歯の隙間部をより効率的に照射するため、光軸６を異なる方位に向け２個配置する。また、さらに細菌の抑制効果をあげるため、前述の文献で引用されている６３０ｎｍの波長成分をもつＬＥＤ３を配置する。【００１１】（実施例２）
図２は光源の一部を歯ブラシの外部に置いた実施例である。歯ブラシの外部に半導体レーザー光源７を置き、歯ブラシへ光を導くため光ファイバー８を設けた。また、歯ブラシ内部にＬＥＤ９を設置する。半導体レーザー光源７には市販の波長４０５ｎｍの青紫色半導体レーザー光源をＬＥＤ９には波長５００ｎｍから５５０ｎｍの間にピーク波長がある市販の緑色チップタイプＬＥＤを用いる。
本実施例の場合、半導体レーザー光源７は比較的小型で、その本体を歯ブラシに内蔵可能と考えられるが、その動作温度が最高４０度と体温に近いことから歯ブラシの外部に置いた。また、実施例１と同様に、細菌の抑制効果をさらにあげるため、前述の文献で引用されている５０５ｎｍと５４０ｎｍの波長成分もつＬＥＤ９を配置する。【００１２】（実施例３）
図３は実施例１の光照射歯ブラシに関し、ＬＥＤ２の光照射方位にフィルター１０を置いた実施例である。このフィルターには透過限界波長が４００ｎｍのＵＶカットフィルターを用いる。これによりＬＥＤ２の照射光に含まれる４００ｎｍ未満の波長成分をカットし、ＬＥＤ２からの照射光を浴びた場合の健康影響の懸念を排除する。【００１３】（実施例４）
図４は実施例２の光照射歯ブラシに同実施例と同じ特性のＬＥＤ１１を内蔵させ、ブラシ面と反対側への光照射を加えた実施例である。この光照射により、ブラシ側を主照射すると同時に、照射光の届く反対面の予備照射が可能となる。また、照射条件によっては、主照射と同等の照射が行なえる。
【産業上の利用可能性】
【００１４】  本発明の歯ブラシにより、効果的、且つ簡便に歯周病等の予防効果が得られる。
【図面の簡単な説明】
【００１５】
【図１】  ３個の内蔵光源をもつ光照射歯ブラシの側断面図（概要図）
【図２】  外部光源と２個の内蔵光源をもつ光照射歯ブラシの側断面図（概要図）
【図３】  フィルターと３個の内蔵光源をもつ光照射歯ブラシの側断面図（概要図）
【図４】  外部光源と３個の内蔵光源をもつ光照射歯ブラシの側断面図（概要図）
【符号の説明】
【００１６】１  歯ブラシ本体
２  ＬＥＤ
３  ＬＥＤ
４  スイッチ・制御基板
５  電源
６  光軸
７  半導体レーザー
８  光ファイバー
９  ＬＥＤ
１０  フィルター
１１  ＬＥＤ
【図１】
2009183665.tif 000003
【図２】
2009183665.tif 000004
【図３】
2009183665.tif 000005
【図４】
2009183665.tif 000006